(57)【特許請求の範囲】
【請求項１】
細長い形状の絶縁基板上に形成され、使用周波数帯域の中心周波数の波長をλとした際に略λ／２の長さとされている第１のエレメントと、
前記絶縁基板上に前記第１のエレメントに対して上方に向かって次第に間隔が拡がるように斜めに形成され、略λ／４の長さとされている第２のエレメントと、
前記第１のエレメントの下端と、前記第２のエレメントの下端との間に給電する給電手段とを備え、
前記第１のエレメントと前記第２のエレメントの上端との間隔Ｄ１が約０．０１２λ以上とされると共に、前記第１のエレメントの下端と前記第２のエレメントの下端との間隔Ｄ２が約０．００２λとされていることを特徴とするエンドフィードアンテナ。
【請求項２】
前記第１エレメントは、前記第２エレメントの上端まで細長い形状で形成され、前記第２エレメントの上端を超えてから前記絶縁基板の幅一杯に形成されていることを特徴とする請求項１に記載のエンドフィードアンテナ。
【請求項３】
前記第１のエレメントおよび前記第２のエレメントが形成されている前記絶縁基板と、前記給電手段とが電波透過性のアンテナケースに収納されていることを特徴とする請求項１または２に記載のエンドフィードアンテナ。
【発明の詳細な説明】
【技術分野】
【０００１】
本発明は、広帯域のエンドフィードアンテナに関し、特に地上波デジタル放送を受信するアンテナに適用して好適なアンテナに関する。
【背景技術】
【０００２】
従来のエンドフィードアンテナの一例であるＪ型アンテナ１００の構成を図１６に示す。図１６に示すようにＪ型アンテナ１００は、金属パイプ製の第１エレメント１０１と、第１エレメント１０１にほぼ平行に配設された金属パイプ製の短い第２エレメント１０２を有している。第１エレメント１０１の下端部と第２エレメント１０２の下端部とは固着片１０４により支柱１０５に固着されている。そして、支柱１０５の内部あるいは支柱１０５に沿って配設された同軸ケーブルの芯線１０３ａが第１エレメント１０１の下端に接続されて給電され、同軸ケーブルの外部導体１０３ｂが第２エレメント１０２の下端に接続されて給電されている。第２エレメント１０２の長さＬ１１は使用周波数帯域の中心周波数の波長をλとした際に略λ／４の長さとされている。また、第２エレメント１０２の先端から第１エレメント１０１の先端までの長さＬ１０は略λ／２とされることから、第１エレメント１０１の長さは略３λ／４とされている。さらに、第１エレメント１０１と第２エレメント１０２の外径φ１０は略１０ｍｍとされている。
【０００３】
上記寸法とされたＪ型アンテナ１００の電圧定在波比（ＶＳＷＲ）の周波数特性を図１７に示す。図１７を参照すると、６２０ＭＨｚを中心とする近傍の周波数帯域においては使用可能な値のＶＳＷＲ特性とされているが、低域と高域においてはＶＳＷＲの値が７近くとなり劣化したＶＳＷＲ特性となっている。なお、４７０ＭＨｚないし７７０ＭＨｚの周波数帯域は地上波デジタル放送の周波数帯域とされている。
【０００４】
次に、従来のエンドフィードアンテナの他の例であるスリーブアンテナ１１０の構成を図１８に示す。図１８に示すようにスリーブアンテナ１１０は、金属製のエレメント１１１と、エレメント１１１の下端から下方へ延伸している金属パイプ製のスリーブ１１２を有している。スリーブ１１２は同軸構造の支持部１１３を覆うように配設されている。支持部１１３の下部は固着部１１３により支柱１１５に固着されている。そして、図示されていないが同軸構造の支持部１１３の芯線がエレメント１１１の下端に接続されて給電され、支持部１１３の外部導体がスリーブ１１２の上端に接続されて給電されている。エレメント１１１の長さＬ２０は使用周波数帯域の中心周波数の波長をλとした際に略λ／４とされ、スリーブ１１２の長さＬ２１も略λ／４の長さとされている。
このスリーブアンテナ１１０のＶＳＷＲ特性は、図１７に示すＪ型アンテナ１００のＶＳＷＲ特性とほぼ同様の特性となる。
【０００５】
次に、従来のエンドフィードアンテナのさらに他の例であるブラウンアンテナ１２０の構成を図１９に示す。図１９に示すようにブラウンアンテナ１２０は、金属パイプを折り返して形成された垂直エレメント１２２と、互いに直交して水平面内に配置された４本の金属パイプ製のラジアル１２１を有している。垂直アンテナ１２２の一端は給電箱１２３に導入されて給電され、垂直アンテナ１２２の折り返された他端はラジアル１２１の１本に接続されている。４本のラジアル１２１の端部は給電箱１２３に導入されて、相互に接続されて給電されている。給電箱１２３を支持する支持部１２４の下部は固着部１２５により支柱１２６に固着されている。垂直エレメント１２２の長さＬ３２は使用周波数帯域の中心周波数の波長をλとした際に略λ／４とされ、４本のラジアル１２１の長さＬ３０，Ｌ３１も略λ／４の長さとされている。
このブラウンアンテナ１２０のＶＳＷＲ特性は、図１７に示すＪ型アンテナ１００のＶＳＷＲ特性とほぼ同様の特性となる。
【発明の開示】
【発明が解決しようとする課題】
【０００６】
上記したように、従来のエンドフィードアンテナであるＪ型アンテナ、スリーブアンテナおよびブラウンアンテナは、図１７に示すように使用周波数帯域が狭く、３００ＭＨｚもの広帯域で動作することが要求される地上デジタル放送の受信用アンテナに適していないという問題点があった。また、エレメントが長いうえに金属パイプや金属棒から構成されていることから、大型で重量のあるアンテナになってしまっていた。
【０００７】
そこで、本発明は小型で広帯域に渡って良好に動作するエンドフィードアンテナを提供することを目的としている。
【課題を解決するための手段】
【０００８】
上記目的を達成するために、本発明のエンドフィードアンテナは、細長い形状の絶縁基板上に形成された、使用周波数帯域の中心周波数の波長をλとした際に略λ／２の長さとされている第１のエレメントと、第１エレメントと所定の間隔を置いて近接して形成された略λ／４の長さとされている第２のエレメントとを備えていることを最も主要な特徴としている。
【発明の効果】
【０００９】
本発明によれば、細長い形状の絶縁基板上に形成された、使用周波数帯域の中心周波数の波長をλとした際に略λ／２の長さとされている第１のエレメントと、第１エレメントと所定の間隔を置いて近接して形成された略λ／４の長さとされている第２のエレメントとを備えていることから、小型のエンドフィードアンテナとすることができる。また、小型のエンドフィードアンテナであっても広帯域にわたり良好に動作するようになる。
【発明を実施するための最良の形態】
【００１０】
本発明にかかる第１実施例のエンドフィードアンテナの構成を図１に示す。
図１に示す第１実施例のエンドフィードアンテナ１は、テフロン基板やガラスエポキシ基板等の高周波特性の良好なプリント基板１０上にプリントされている第１エレメント１１と第２エレメント１２とを備えている。プリント基板１０は細長い矩形状とされており、このプリント基板１０の長い側部に沿って細長い第１エレメント１１がプリントされている。また、第２エレメント１２は、下端が第１エレメント１１の下端に近接し、上端に向かって第１エレメント１１から間隔が拡がるように斜めにプリント基板１０にプリントされている。第１エレメント１１の長さＬ１は、使用周波数帯域の中心周波数の波長をλとした際に略λ／２（例えば、約２４２ｍｍ）の長さとされ、その幅Ｗ１は略０．００４λ（例えば、約２ｍｍ）とされている。また、第２エレメント１２の長さＬ２は略λ／４（例えば、約１２１ｍｍ）、その幅Ｗ１は略０．００４λ（例えば、約２ｍｍ）とされている。さらに、第１エレメント１１の下端と第２エレメント１２の下端との間隔Ｄ２は略０．００２λ（例えば、約１ｍｍ）とされ、第２エレメント１２の上端と第１エレメント１１との間隔Ｄ１は略０．０１２λ（例えば、約６ｍｍ）とされている。
【００１１】
第１エレメント１１の下端には同軸ケーブル１３の芯線１３ａが接続されて給電され、第２エレメント１２の下端には同軸ケーブル１３の外部導体１３ｂが接続されて給電されている。本発明にかかる第１実施例のエンドフィードアンテナ１は、約２５ｃｍ×約１ｃｍ程度の細長い矩形状のプリント基板１０上に第１エレメント１１と第２エレメント１２とがプリントされて形成されているため、小型で軽量なアンテナとすることができる。
本発明にかかる第１実施例のエンドフィードアンテナ１において、中心周波数を６２０ＭＨｚ（λ≒４８４ｍｍ）として、上記寸法（間隔Ｄ１＝６ｍｍ、間隔Ｄ２＝１ｍｍ）とした際の電圧定在波比（ＶＳＷＲ）の周波数特性を図２に示す。図２を参照すると、４７０ＭＨｚないし７００ＭＨｚの周波数帯域においてはほぼ２以下の良好な値のＶＳＷＲ特性を示しており、４７０ＭＨｚないし７７０ＭＨｚの地上波デジタル放送の周波数帯域の全域にわたっても３以下の良好な値のＶＳＷＲ特性を示している。このように、本発明にかかる第１実施例のエンドフィードアンテナ１は、第１エレメント１１の下端に近接して第２エレメント１２の下端を配設すると共に、第２エレメント１２は上端に行くほど第１エレメント１１からの間隔を拡げるよう傾斜して配設することにより、３００ＭＨｚもの広帯域にわたる地上波デジタル放送の全帯域にわたり良好に動作するアンテナとすることができる。
なお、第２エレメント１２は先端に行くほど第１エレメント１１からの間隔を拡げるよう傾斜して配設したが、傾斜して配設しなくても第１エレメント１１に近接して第２エレメント１２を配設すれば、若干電気的特性は劣化するものの地上波デジタル放送の全周波数帯域にわたり良好に動作するアンテナとすることができる。
【００１２】
また、本発明にかかる第１実施例のエンドフィードアンテナ１において、間隔Ｄ１を５ｍｍ、間隔Ｄ２を１ｍｍと第２エレメント１２の上端と第１エレメント１１との間隔を狭めた際の電圧定在波比（ＶＳＷＲ）の周波数特性を図３に示す。図３を参照すると、間隔Ｄ１を５ｍｍとしたことにより４７０ＭＨｚないし７７０ＭＨｚの地上波デジタル放送の周波数帯域の全域にわたりほぼ３以下の良好な値のＶＳＷＲ特性を示しているが、高域においてはＶＳＷＲが３を超えており若干ＶＳＷＲ特性が劣化している。
さらに、本発明にかかる第１実施例のエンドフィードアンテナ１において、間隔Ｄ１を７ｍｍ、間隔Ｄ２を１ｍｍと第２エレメント１２の上端と第１エレメント１１との間隔を拡げた際の電圧定在波比（ＶＳＷＲ）の周波数特性を図４に示す。図４を参照すると、間隔Ｄ１を７ｍｍとしたことにより４７０ＭＨｚないし７００ＭＨｚの周波数帯域においてはほぼ２以下のより良好な値のＶＳＷＲ特性を示しており、４７０ＭＨｚないし７７０ＭＨｚの地上波デジタル放送の周波数帯域の全域にわたっても３以下の良好な値のＶＳＷＲ特性を示している。
このように、第２エレメント１２の上端と第１エレメント１１との間隔Ｄ１は略０．０１２λ（約６ｍｍ）以上とするのが好適である。
【００１３】
さらにまた、本発明にかかる第１実施例のエンドフィードアンテナ１において、間隔Ｄ１を６ｍｍ、間隔Ｄ２を２ｍｍと第２エレメント１２の下端と第１エレメント１１の下端の間隔とを拡げた際の電圧定在波比（ＶＳＷＲ）の周波数特性を図５に示す。図５を参照すると、間隔Ｄ２を２ｍｍとしたことにより４７０ＭＨｚないし７７０ＭＨｚの地上波デジタル放送の周波数帯域の全域にわたってＶＳＷＲ４以下の若干劣化したＶＳＷＲ特性を示すようになり、特に中域以上の帯域において図２に示すＶＳＷＲ特性よりも若干劣化するようになる。
このことから、第１エレメント１１の下端と第２エレメント１２の下端の間隔Ｄ２は略０．００２λ（約１ｍｍ）とするのが好適である。
【００１４】
さらにまた、本発明にかかる第１実施例のエンドフィードアンテナ１において、幅Ｗ１と幅Ｗ２を１ｍｍとより細くした際の電圧定在波比（ＶＳＷＲ）の周波数特性を図６に示す。図６を参照すると、幅Ｗ１と幅Ｗ２を１ｍｍと細くしたことにより地上波デジタル放送の周波数帯域の全域にわたってＶＳＷＲ４以下の若干劣化したＶＳＷＲ特性を示すようになり、特に中域以上の帯域において図２に示すＶＳＷＲ特性よりも若干劣化したＶＳＷＲ特性を示すようになる。
さらにまた、本発明にかかる第１実施例のエンドフィードアンテナ１において、幅Ｗ１と幅Ｗ２を３ｍｍと太くした際の電圧定在波比（ＶＳＷＲ）の周波数特性を図７に示す。図７を参照すると、幅Ｗ１と幅Ｗ２を３ｍｍと太くしたことにより４７０ＭＨｚないし７７０ＭＨｚの地上波デジタル放送の全周波数帯域においてはほぼＶＳＷＲ３．５以下の良好な値のＶＳＷＲ特性を示しており、全帯域にわたって図２に示すＶＳＷＲ特性よりもわずかに劣化したＶＳＷＲ特性を示すようになる。
このことから、第１エレメント１１と第２エレメント１２の幅Ｗ１と幅Ｗ２は略０．００４λ（約２ｍｍ）以上とするのが好適である。
【００１５】
次に、本発明にかかる実施例のエンドフィードアンテナの変形例の構成を図８に示す。
図８に示すエンドフィードアンテナ２は、図１に示す第１実施例のエンドフィードアンテナ１をアンテナケース２ａに収納したフィードアンテナとされている。電波透過性の材質とされたアンテナケース２ａの断面は円筒型あるいは矩形とされて、細長く形成されている。アンテナケース２ａの下端からは同軸ケーブル１３が導出されている。アンテナケース２ａに収納したエンドフィードアンテナ２とされても、その大きさは約２５ｃｍ×約１ｃｍを若干超える大きさとされるので、小型軽量となり室内に設置することができると共にテレビやＴＶチューナ内蔵のノートパソコン上に設置することもできるようになる。また、エンドフィードアンテナ２も地上波デジタル放送の全帯域にわたり良好に動作するアンテナとなる。
【００１６】
次に、本発明にかかる第２実施例のエンドフィードアンテナの構成を図９に示す。
図９に示す第２実施例のエンドフィードアンテナ３は、テフロン基板やガラスエポキシ基板等の高周波特性の良好なプリント基板２０上にプリントされている第１エレメント２１と第２エレメント２２とを備えている。プリント基板２０は細長い形状とされており、このプリント基板２０の長い側部に沿って第２エレメント２２の上端まで細長い形状で、第２エレメント２２の上端を超えてからプリント基板２０の幅一杯に第１エレメント２１がプリントされている。また、第２エレメント２２は全体的に細長い三角形状とされ、下端が第１エレメント２１の下端に近接し、上端に向かって第１エレメント２１から間隔が拡がる斜辺を有するようにプリント基板２０にプリントされている。第１エレメント２１の長さＬ１は、使用周波数帯域の中心周波数の波長をλとした際に略λ／２（例えば、約２４２ｍｍ）の長さとされ、第２エレメント２２の長さＬ２は略λ／４（例えば、約１２１ｍｍ）とされている。さらに、第１エレメント２１の下端と第２エレメント２２の下端との間隔は略０．００２λ（例えば、約１ｍｍ）とされ、第２エレメント２２の上端と第１エレメント２１との間隔は略０．０１２λ（例えば、約６ｍｍ）とされている。
【００１７】
このような構成のエンドフィードアンテナ３においても、第１エレメント２１に近接して第２エレメント２２を配設すると共に、細長い三角形状の第２エレメント２２の斜辺は先端に行くほど第１エレメント２１からの間隔を拡げるように形成されていることにより、３００ＭＨｚもの広帯域にわたる地上波デジタル放送の全帯域にわたり良好に動作するアンテナとすることができる。
なお、第２実施例のエンドフィードアンテナ３を電波透過性の材質とされたアンテナケース内に収納するようにしても良い。この場合、アンテナケースの断面は円筒型あるいは矩形とされて、細長く形成される。アンテナケースの下端からは同軸ケーブルが導出されるようになり、その外観は図８に示すエンドフィードアンテナ２とほぼ同様になる。このように、第２実施例のエンドフィードアンテナ３をアンテナケースに収納しても、その大きさは約２５ｃｍ×約１ｃｍを若干超える大きさとされるので、小型軽量となり室内に設置することができると共にテレビやＴＶチューナ内蔵のノートパソコン上に設置することもできるようになる。
【００１８】
次に、本発明にかかる第３実施例のエンドフィードアンテナの構成を図１０に示す。
図１０に示す第３実施例のエンドフィードアンテナ４は、テフロン基板やガラスエポキシ基板等の高周波特性の良好なプリント基板４０上にプリントされている第１エレメント４１と第２エレメント４２とを備えている。プリント基板４０は細長い矩形状とされており、このプリント基板４０の左側部に沿って細長い第１エレメント４１がプリントされている。また、プリント基板４０の右側部に沿って細長い第２エレメント４２が、第１エレメント４１にほぼ平行にプリントされている。第１エレメント４１の長さＬ１’は、使用周波数帯域の中心周波数の波長をλとした際に略λ／２（例えば、約２４２ｍｍ）の長さとされ、その幅Ｗ１は略０．００４λ（例えば、約２ｍｍ）とされている。また、第２エレメント４２の長さＬ２’は略λ／４（例えば、約１２１ｍｍ）、その幅Ｗ１’は略０．００４λ（例えば、約２ｍｍ）とされている。さらに、ほぼ平行に配置されている第１エレメント４１と第２エレメント４２との間隔Ｄ１’は約０．００７λ（例えば、約３．５ｍｍ）とされている。
【００１９】
第１エレメント４１の下端には同軸ケーブル４３の芯線４３ａが接続されて給電され、第２エレメント４２の下端には同軸ケーブル４３の外部導体４３ｂが接続されて給電されている。本発明にかかる第３実施例のエンドフィードアンテナ３は、約２５ｃｍ×約１ｃｍ程度の細長い矩形状のプリント基板４０上に第１エレメント４１と第２エレメント４２とがプリントされて形成されているため、小型で軽量なアンテナとすることができる。
本発明にかかる第３実施例のエンドフィードアンテナ４において、中心周波数を６２０ＭＨｚ（λ≒４８４ｍｍ）として、上記寸法とした際の電圧定在波比（ＶＳＷＲ）の周波数特性を図１１に示す。図１１を参照すると、４７０ＭＨｚないし７００ＭＨｚの周波数帯域においてはほぼＶＳＷＲ２．３以下の良好な値のＶＳＷＲ特性を示しており、４７０ＭＨｚないし７７０ＭＨｚの地上波デジタル放送の周波数帯域の全域にわたってもＶＳＷＲ３以下の良好な値のＶＳＷＲ特性を示している。このように、本発明にかかる第３実施例のエンドフィードアンテナ３は、第１エレメント４１と第２エレメント４２とを平行に配置するようにしても、第１実施例のエンドフィードアンテナ１とほぼ同様に、３００ＭＨｚもの広帯域にわたる地上波デジタル放送の全帯域にわたり良好に動作するアンテナとすることができる。
なお、第１エレメント４１は左側部に第２エレメント４２は右側部に形成したが、左側部と右側部に形成するエレメントを逆にしてもよい。
【００２０】
また、本発明にかかる第３実施例のエンドフィードアンテナ４において、間隔Ｄ１’を１ｍｍと第２エレメント４２と第１エレメント４１との間隔を狭めた際の電圧定在波比（ＶＳＷＲ）の周波数特性を図１２に示す。図１２を参照すると、間隔Ｄ１’を１ｍｍとしたことにより４７０ＭＨｚないし７００ＭＨｚの周波数帯域ではほぼＶＳＷＲ３以下の良好な値のＶＳＷＲ特性を示しているが、高域においてはＶＳＷＲが３を超えており地上波デジタル放送の全帯域にわたりＶＳＷＲ特性が劣化している。
さらに、本発明にかかる第３実施例のエンドフィードアンテナ４において、間隔Ｄ１’を５ｍｍと第２エレメント４２と第１エレメント４１との間隔を拡げた際の電圧定在波比（ＶＳＷＲ）の周波数特性を図１３に示す。図１３を参照すると、間隔Ｄ１’を５ｍｍとしたことにより４７０ＭＨｚないし７７０ＭＨｚの地上波デジタル放送の周波数帯域の全域にわたってＶＳＷＲ３以下の良好な値のＶＳＷＲ特性を示している。
このように、第２エレメント４２と第１エレメント４１との間隔Ｄ１’は略０．００７λ（約３．５ｍｍ）以上とするのが好適である。
【００２１】
さらにまた、本発明にかかる第３実施例のエンドフィードアンテナ４において、幅Ｗ１’と幅Ｗ２’を３ｍｍと太くした際の電圧定在波比（ＶＳＷＲ）の周波数特性を図１４に示す。図１４を参照すると、幅Ｗ１’と幅Ｗ２’を３ｍｍと太くしたことにより４７０ＭＨｚないし７００ＭＨｚの周波数帯域においてはほぼＶＳＷＲ３以下の良好な値のＶＳＷＲ特性を示しており、全帯域にわたって図１１に示すＶＳＷＲ特性よりもわずかに劣化したＶＳＷＲ特性を示すようになる。
さらにまた、本発明にかかる第３実施例のエンドフィードアンテナ４において、幅Ｗ１’と幅Ｗ２’を１ｍｍとより細くした際の電圧定在波比（ＶＳＷＲ）の周波数特性を図１５に示す。図１５を参照すると、幅Ｗ１’と幅Ｗ２’を１ｍｍと細くしたことにより４７０ＭＨｚないし７００ＭＨｚの周波数帯域においてはほぼＶＳＷＲ２．５以下の良好なＶＳＷＲ特性を示すが、７００ＭＨｚ以上の高域において図１１に示すＶＳＷＲ特性よりも劣化したＶＳＷＲ特性を示すようになる。
このことから、第１エレメント４１と第２エレメント４２の幅Ｗ１’と幅Ｗ２’は略０．００４λ（約２ｍｍ）以上とするのが好適である。
【００２２】
以上説明したように、第３実施例のエンドフィードアンテナ４は地上波デジタル放送の全帯域にわたり良好に動作するアンテナとなる。また、この第３実施例のエンドフィードアンテナ４を電波透過性の材質とされたアンテナケース内に収納するようにしても良い。この場合、アンテナケースの断面は円筒型あるいは矩形とされて、細長く形成される。アンテナケースの下端からは同軸ケーブルが導出されるようになり、その外観は図８に示すエンドフィードアンテナ２とほぼ同様になる。このように、第３実施例のエンドフィードアンテナ４をアンテナケースに収納しても、その大きさは約２５ｃｍ×約１ｃｍを若干超える大きさとされるので、小型軽量となり室内に設置することができると共にテレビやＴＶチューナ内蔵のノートパソコン上に設置することもできるようになる。
なお、第３実施例のエンドフィードアンテナ４において、第２エレメント４２の上端を超えた部位の第１エレメント４１の幅をプリント基板４０の幅一杯になるよう拡大して形成するようにしても良い。
【産業上の利用可能性】
【００２３】
以上の説明では、本発明にかかるエンドフィードアンテナは地上波デジタル放送用のアンテナとして説明したが、これに限るものではなく広帯域で動作することを必要とされるアンテナ全般に適用することができる。
なお、本発明にかかるエンドフィードアンテナはテフロン基板やガラスエポキシ基板等の絶縁基板上にエレメントを形成するものとしたが、絶縁基板を高周波特性の良好なフィルムとしてエンドフィードアンテナをフィルムアンテナとしても良い。また、絶縁基板上にエレメントをプリントするものとしたが、エレメントをフィルムを含む絶縁基板上に導電塗料を塗布、あるいは、導電薄膜を蒸着あるいは貼着することにより形成するようにしても良い。本発明にかかるエンドフィードアンテナにおいては、フィルムを含む絶縁基板の誘電率に応じた波長短縮率の波長とされるため、エレメントの長さも波長短縮率に応じた短い物理長とされる。このため、本発明にかかるエンドフィードアンテナはフィルムも含む絶縁基板の誘電率に応じたより小型軽量なエンドフィードアンテナとすることができる。
【図面の簡単な説明】
【００２４】
【図１】本発明にかかる第１実施例のエンドフィードアンテナの構成を示す図である。
【図２】本発明にかかる第１実施例のエンドフィードアンテナの電圧定在波比（ＶＳＷＲ）の周波数特性の一例を示すグラフである。
【図３】本発明にかかる第１実施例のエンドフィードアンテナの電圧定在波比（ＶＳＷＲ）の周波数特性の他の例を示すグラフである。
【図４】本発明にかかる第１実施例のエンドフィードアンテナの電圧定在波比（ＶＳＷＲ）の周波数特性のさらに他の例を示すグラフである。
【図５】本発明にかかる第１実施例のエンドフィードアンテナの電圧定在波比（ＶＳＷＲ）の周波数特性のさらに他の例を示すグラフである。
【図６】本発明にかかる第１実施例のエンドフィードアンテナの電圧定在波比（ＶＳＷＲ）の周波数特性のさらに他の例を示すグラフである。
【図７】本発明にかかる第１実施例のエンドフィードアンテナの電圧定在波比（ＶＳＷＲ）の周波数特性のさらに他の例を示すグラフである。
【図８】本発明にかかる第１実施例のエンドフィードアンテナの変形例の構成を示す図である。
【図９】本発明にかかる第２実施例のエンドフィードアンテナの構成を示す図である。
【図１０】本発明にかかる第３実施例のエンドフィードアンテナの構成を示す図である。
【図１１】本発明にかかる第３実施例のエンドフィードアンテナの電圧定在波比（ＶＳＷＲ）の周波数特性の一例を示すグラフである。
【図１２】本発明にかかる第３実施例のエンドフィードアンテナの電圧定在波比（ＶＳＷＲ）の周波数特性の他の例を示すグラフである。
【図１３】本発明にかかる第３実施例のエンドフィードアンテナの電圧定在波比（ＶＳＷＲ）の周波数特性のさらに他の例を示すグラフである。
【図１４】本発明にかかる第３実施例のエンドフィードアンテナの電圧定在波比（ＶＳＷＲ）の周波数特性のさらに他の例を示すグラフである。
【図１５】本発明にかかる第３実施例のエンドフィードアンテナの電圧定在波比（ＶＳＷＲ）の周波数特性のさらに他の例を示すグラフである。
【図１６】従来のエンドフィードアンテナの一例であるＪ型アンテナの構成を示す図である。
【図１７】従来のエンドフィードアンテナであるＪ型アンテナの電圧定在波比（ＶＳＷＲ）の周波数特性の例を示すグラフである。
【図１８】従来のエンドフィードアンテナの他の例であるスリーブアンテナの構成を示す図である。
【図１９】従来のエンドフィードアンテナのさらに他の例であるブラウンアンテナの構成を示す図である。
【符号の説明】
【００２５】
１  エンドフィードアンテナ、２  エンドフィードアンテナ、２ａ  アンテナケース、３  エンドフィードアンテナ、４  エンドフィードアンテナ、１０  プリント基板、１１  第１エレメント、１２  第２エレメント、１３  同軸ケーブル、１３ａ  芯線、１３ｂ  外部導体、２０  プリント基板、２１  第１エレメント、２２  第２エレメント、４０  プリント基板、４１  第１エレメント、４２  第２エレメント、４３  同軸ケーブル、４３ａ  芯線、４３ｂ  外部導体、１００  Ｊ型アンテナ、１０１  第１エレメント、１０２  第２エレメント、１０３ａ  芯線、１０３ｂ  外部導体、１０４  固着片、１０５  支柱、１１０  スリーブアンテナ、１１１  エレメント、１１２  スリーブ、１１３  固着部、１１３  支持部、１１５  支柱、１２０  ブラウンアンテナ、１２１  ラジアル、１２２  垂直アンテナ、１２２  垂直エレメント、１２３  給電箱、１２４  支持部、１２５  固着部、１２６  支柱
【図１】
0004717578.tif 000002
【図２】
0004717578.tif 000003
【図３】
0004717578.tif 000004
【図４】
0004717578.tif 000005
【図５】
0004717578.tif 000006
【図６】
0004717578.tif 000007
【図７】
0004717578.tif 000008
【図８】
0004717578.tif 000009
【図９】
0004717578.tif 000010
【図１０】
0004717578.tif 000011
【図１１】
0004717578.tif 000012
【図１２】
0004717578.tif 000013
【図１３】
0004717578.tif 000014
【図１４】
0004717578.tif 000015
【図１５】
0004717578.tif 000016
【図１６】
0004717578.tif 000017
【図１７】
0004717578.tif 000018
【図１８】
0004717578.tif 000019
【図１９】
0004717578.tif 000020